(57)【要約】【課題】使用するトナーを高速に判定すること。【解決手段】画像形成装置は、入力画像データに含まれるＲＧＢ形式の第１画像およびＲＧＢ形式以外の第２画像がそれぞれ配置された領域の位置を示す位置情報に応じて、ディスプレイに表示される画像の色を再現するための第１トナーおよび印刷用の画像の色を再現するための第２トナーの中から、入力画像データの各座標で印刷に使用するトナーを決定する制御部と、決定されたトナーを用いて第１画像および第２画像を用紙に形成する印刷部と、を備える。【選択図】図４
2017111187.tif 000002
【特許請求の範囲】
【請求項１】
入力画像データに含まれるＲＧＢ形式の第１画像およびＲＧＢ形式以外の第２画像がそれぞれ配置された領域の位置を示す位置情報に応じて、ディスプレイに表示される画像の色を再現するための第１トナーおよび印刷用の画像の色を再現するための第２トナーの中から、前記入力画像データの各座標で印刷に使用するトナーを決定する制御部と、
前記決定されたトナーを用いて前記第１画像および前記第２画像を用紙に形成する印刷部と、
を具備する画像形成装置。
【請求項２】
前記制御部は、前記第１画像が配置された領域に含まれる各座標では前記第１トナーを前記印刷に使用するトナーとして決定し、前記第２画像が配置された領域に含まれる各座標では前記第２トナーを前記印刷に使用するトナーとして決定する、
請求項１に記載の画像形成装置。
【請求項３】
前記入力画像データには、少なくとも、前記第１画像、ＣＭＹＫ形式の第３画像、ＲＢＧ形式およびＣＭＹＫ形式以外の第４画像および文字情報に相当する第５画像が含まれ、
前記制御部は、前記第１画像が配置された領域では前記第１トナーを前記印刷に使用するトナーとして決定し、前記第３画像が配置された領域では前記第２トナーの使用を決定し、前記第４画像および前記第５画像が配置された領域では、前記第１トナーおよび前記第２トナーのうち予め設定されたトナーを前記印刷に使用するトナーとして決定する、
請求項１に記載の画像形成装置。
【請求項４】
前記第１トナーと前記第２トナーとは、少なくとも１つ以上の色で顔料の種類が異なる、
請求項１に記載の画像形成装置。
【請求項５】
前記第１トナーは、前記第２トナーよりも明度が高い、
請求項１に記載の画像形成装置。
【請求項６】
シアン色の前記第１トナーの最大彩度を得る明度は５０より高く、シアン色の前記第２トナーの最大彩度を得る明度は５０である、
る、
請求項１に記載の画像形成装置。
【請求項７】
シアン色の前記第１トナーの最大彩度を得る明度は８０以下である、
請求項６に記載の画像形成装置。
【請求項８】
前記第１トナーは、前記第２トナーよりも彩度が高い、
請求項１に記載の画像形成装置。
【請求項９】
マゼンタ色の前記第１トナーの最大彩度は６２より高く、マゼンタ色の前記第２トナーの最大彩度は６２である、
請求項１に記載の画像形成装置。
【請求項１０】
マゼンタ色の前記第１トナーの最大彩度は１００以下である、
請求項９に記載の画像形成装置。
【請求項１１】
画像形成装置を含む複数のユニットで構成される画像形成システムであって、
入力画像データに含まれるＲＧＢ形式の第１画像およびＲＧＢ形式以外の第２画像がそれぞれ配置された領域の位置を示す位置情報に応じて、ディスプレイに表示される画像の色を再現するための第１トナーおよび印刷用の画像の色を再現するための第２トナーの中から、前記入力画像データの各座標で印刷に使用するトナーを決定する制御部と、
前記決定されたトナーを用いて前記第１画像および前記第２画像を用紙に形成する印刷部と、
を有する画像形成システム。
【請求項１２】
入力画像データに含まれるＲＧＢ形式の第１画像およびＲＧＢ形式以外の第２画像がそれぞれ配置された領域の位置を示す位置情報に応じて、ディスプレイに表示される画像の色を再現するための第１トナーおよび印刷用の画像の色を再現するための第２トナーの中から、前記入力画像データの各座標で印刷に使用するトナーを決定し、
前記決定されたトナーを用いて前記第１画像および前記第２画像を用紙に形成する、
画像形成方法。
【発明の詳細な説明】
【技術分野】
【０００１】
本発明は、画像形成装置、画像形成システムおよび画像形成方法に関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体（像担持体）へ現像装置よりトナーを供給することにより静電潜像を可視化してトナー像を形成する。さらに、このトナー像を直接又は間接的に用紙に転写させた後、加熱、加圧して定着させることにより用紙に画像を形成する。そして、定着装置を通過した用紙は、排出用の排紙ローラー対を通過して、排紙トレイ上に排紙される。
【０００３】
近年、ＤＴＰ（DeskTop  Publishing）等のように文字および画像のレイアウト等の編集がコンピューター上で行われることが一般的であり、画像形成装置に入力される画像データには、ＲＧＢ形式の画像（以下、「ＲＧＢ画像」と呼ぶ）およびＣＭＹＫ形式の画像（以下、「ＣＭＹＫ画像」と呼ぶ）等の複数のカラーモードの画像が混在している場合がある。このような画像データに対して、従来使用されてきたＣＭＹＫの各トナーで構成されるトナー群（以下、「Ｐトナー」と呼ぶ）では、ＣＭＹＫ形式に変換されたＲＧＢ画像に対して本来の色を再現できない問題がある。
【０００４】
この問題に対して、Ｐトナーよりも彩度または明度が高い色を再現できるトナー群（以下、「Ｄトナー」と呼ぶ）が開発されている。Ｄトナーを搭載した画像形成装置を利用することにより、印刷物においてＰトナーでは再現できない色を再現することができる。
【０００５】
特許文献１には、画像データの各画素情報を色空間上の値に変換し、色空間上の値に応じてＤトナーとＰトナーとを使い分ける技術が開示されている。
【先行技術文献】
【特許文献】
【０００６】
【特許文献１】特開２０１０−１３９７１８号公報
【発明の概要】
【発明が解決しようとする課題】
【０００７】
しかしながら、上記特許文献１に記載の技術では、画像データの画素毎にＤトナーとＰトナーの何れを印刷に使用するかを判定する処理を行う必要があるため、特に、高解像度または大画面の画像を形成する際には、各画素で使用するトナーの判定処理に膨大な時間を要してしまう。
【０００８】
本発明は、使用するトナーを高速に判定することができる画像形成装置、画像形成システムおよび画像形成方法を提供することを目的とする。
【課題を解決するための手段】
【０００９】
本発明に係る画像形成装置は、
入力画像データに含まれるＲＧＢ形式の第１画像およびＲＧＢ形式以外の第２画像がそれぞれ配置された領域の位置を示す位置情報に応じて、ディスプレイに表示される画像の色を再現するための第１トナーおよび印刷用の画像の色を再現するための第２トナーの中から、前記入力画像データの各座標で印刷に使用するトナーを決定する制御部と、
前記決定されたトナーを用いて前記第１画像および前記第２画像を用紙に形成する印刷部と、
を具備する。
【００１０】
本発明に係る画像形成システムは、
画像形成装置を含む複数のユニットで構成される画像形成システムであって、
入力画像データに含まれるＲＧＢ形式の第１画像およびＲＧＢ形式以外の第２画像がそれぞれ配置された領域の位置を示す位置情報に応じて、ディスプレイに表示される画像の色を再現するための第１トナーおよび印刷用の画像の色を再現するための第２トナーの中から、前記入力画像データの各座標で印刷に使用するトナーを決定する制御部と、
前記決定されたトナーを用いて前記第１画像および前記第２画像を用紙に形成する印刷部と、
を有する。
【００１１】
本発明に係る画像形成方法は、
入力画像データに含まれるＲＧＢ形式の第１画像およびＲＧＢ形式以外の第２画像がそれぞれ配置された領域の位置を示す位置情報に応じて、ディスプレイに表示される画像の色を再現するための第１トナーおよび印刷用の画像の色を再現するための第２トナーの中から、前記入力画像データの各座標で印刷に使用するトナーを決定し、
前記決定されたトナーを用いて前記第１画像および前記第２画像を用紙に形成する。
【発明の効果】
【００１２】
本発明によれば、使用するトナーを高速に判定することができる。
【図面の簡単な説明】
【００１３】
【図１】一実施の形態に係る画像形成装置の全体構成を示す模式図である。
【図２】一実施の形態に係る画像形成装置の制御系の主要部を示すブロック図である。
【図３】一実施の形態に係る画像形成装置の印刷部の具体的構成を示す図である。
【図４】一実施の形態に係る画像形成装置の動作を示すフローチャート図である。
【図５】一実施の形態に係る１ページ内のレイアウト例を示す図である。
【発明を実施するための形態】
【００１４】
以下、本実施の形態を図面に基づいて詳細に説明する。
【００１５】
［ＤトナーおよびＰトナーについて］
以下の説明では、Ｐトナーは、Ｄトナーに対して一般的なトナーの概念として記述している。具体的には、Ｐトナーは、印刷用の画像の色を再現するためのトナーであり、ＣＭＹＫ画像の色再現域に近い色再現域を有する。Ｐトナーの一例としては、KONICA MINOLTA社製のbizhub C754に搭載のトナーなどが挙げられる。
【００１６】
一方、Ｄトナーは、ディスプレイに表示される画像の色を再現するためのトナーであり、ＲＧＢ画像の色再現域に近い色再現域を有する。Ｄトナーの一例としては、KONICA MINOLTA社製のbizhub PRESS C70hcに用いられている高彩度トナーが挙げられる。この高彩度トナーは、ディスプレイの色再現に近いことを特徴としている。
【００１７】
なお、Ｄトナーは、この高彩度トナーに限定されず、彩度および明度の少なくとも１つがＰトナーよりも高いことが特徴である。換言すると、ＤトナーとＰトナーとは、少なくとも１つの色の顔料種類が異なる。例えば、シアン（Ｃ）色のＰトナーの最大彩度を得る明度を５０とし、マゼンタ（Ｍ）色のＰトナーの最大彩度を６２とする。この場合、シアン色のＤトナーの最大彩度を得る明度の範囲は５０より高く８０以下（好ましくは６０〜７０）であり、マゼンタ（Ｍ）色のＤトナーの最大彩度は６２より高く１００以下（好ましくは７０〜９０）である。
【００１８】
［画像形成装置の構成］
図１は、本実施の形態に係る画像形成装置１０の構成を示す模式図である。図２は、本実施の形態に係る画像形成装置１０の制御系の主要部を示すブロック図である。図３は、本実施の形態に係る画像形成装置１０の印刷部１７の具体的な構成を示す図である。
【００１９】
画像形成装置１０の印刷部１７には、ＰトナーであるＹＭＣＫの４色、及び、ＤトナーであるＭＣの２色の計６色に対応する感光体ドラムを中間転写ベルトの走行方向に直列配置し、中間転写ベルトに一回の手順で各色トナー像を順次転写させるタンデム方式が採用されている。
【００２０】
図１および図２に示すように、画像形成装置１０は、制御部１１と、ＡＤＦ（Auto  Document  Feeder）１２と、画像読取部１３と、表示部１４と、操作部１５と、給紙部１６と、印刷部１７と、後処理部１８と、を備える。
【００２１】
制御部１１は、ＣＰＵ（Central Processing Unit）１１ａ、ＲＯＭ（Read Only Memory）またはＲＡＭ（Random Access Memory）などのメモリー１１ｂ、記憶部１１ｃ、通信Ｉ／Ｆ部１１ｄを備える。これらはバスを介して接続されている。ＣＰＵ１１ａは各部の制御を行う。メモリー１１ｂは、記憶部１１ｃ、画像読取部１３、通信Ｉ／Ｆ部１１ｄから読み込んだ種々のデータを一時的に記憶する。記憶されたデータはＣＰＵ１１ａによって画像処理され、必要に応じて記憶部１１ｃまたは印刷部１７に転送される。記憶部１１ｃは、ＣＰＵ１１ａが各部を制御するためのプログラム、画像形成装置１０の処理機能に関する情報などを格納する。記憶部１１ｃに格納されたデータは、ＣＰＵ１１ａにより必要に応じて読み出され、メモリー１１ｂ上で実行処理される。記憶部１１ｃは、例えば不揮発性の半導体メモリー（いわゆるフラッシュメモリー）またはハードディスクドライブ（ＨＤＤ）で構成される。通信Ｉ／Ｆ部１１ｄは、通信ネットワーク２０を介して外部の装置（例えばパーソナルコンピューター）との接続を確立し、データの送受信を実行する。
【００２２】
制御部１１は、印刷ジョブの各ページの入力画像データをラスタライズし、必要に応じて画像処理およびスクリーニング処理を行って、印刷部１７で印刷可能なビットマップデータを作成する画像処理部としても機能する。
【００２３】
また、制御部１１は、各ページの入力画像データに含まれるＲＧＢ画像およびＲＧＢ形式以外のＣＭＹＫ画像等がそれぞれ配置された領域の位置を示す位置情報に応じて、ＤトナーおよびＰトナーの中から、入力画像データの各座標で印刷に使用するトナーを決定する印刷制御部としても機能する。この印刷制御部はハードウェアとして構成してもよく、コンピューターを印刷制御部として機能させる印刷制御プログラムとして構成し、当該プログラムを制御部１１上で実行する構成としてもよい。
【００２４】
ＡＤＦ１２は、単数または複数枚の原稿用紙を自動で画像読取部１３へ搬送する。
【００２５】
画像読取部１３は、原稿台上の原稿用紙から画像データを光学的に読み取る部分であり、原稿を走査する光源と、原稿で反射された光を電気信号に変換するＣＣＤ（Charge  Coupled  Devices）等のイメージセンサーと、電気信号をＡ／Ｄ変換するＡ／Ｄ変換器等により構成される。
【００２６】
表示部１４は、画像形成装置１０を操作するための各種画面を表示する。また、操作部１５は、ボタンまたはスイッチ等からなり、各種設定または指示を行う。
【００２７】
給紙部１６は、各種サイズの用紙を格納する用紙トレイで構成される。また、給紙部１６は、格納された用紙を印刷部１７へ送り出す。
【００２８】
印刷部１７は、画像読取部１３から読み込んだ画像データまたは通信Ｉ／Ｆ部１１ｄを介して受け取った印刷ジョブに基づいて、指定された用紙に画像を形成する。その際、印刷部１７は、制御部１１で決定されたトナーを用いて、画像データに含まれる各画像を用紙に形成する。
【００２９】
具体的には、図３に示す印刷部１７は、書き込みユニットと、感光体ユニットと、転写ユニットと、定着ユニットと、搬送ユニットとを備える。
【００３０】
書き込みユニットは、レーザーダイオード等で構成される。書き込みユニットは、画像処理部から入力されたビットマップデータに基づいてレーザー光を照射して露光する。
【００３１】
感光体ユニットは、感光体ドラム、現像器、帯電器、感光体クリーニング部等で構成される。感光体ユニットは、感光体ドラム上に現像器から供給されたトナーの潜像を形成する。本実施の形態では、印刷部１７は、Ｐトナーのイエロー（Ｙ）、マゼンタ（Normal-Ｍ）、シアン（Normal-Ｃ）、黒（Ｋ）と、Ｄトナーのイエロー（Vivid-Ｙ）、マゼンタ（Vivid-Ｍ）の計６色のトナーに対応する６個の感光体ユニットを備える。すなわち、イエロー（Ｙ）と黒（Ｋ）は、Ｐトナー及びＤトナーとして共通に使用され、マゼンタとシアンは、ＰトナーとＤトナーとでそれぞれ異なる。
【００３２】
転写ユニットは、１次転写ローラー、中間転写ベルト、ベルトクリーニング部、２次転写ローラー、ローラークリーニング部等で構成される。転写ユニットは、感光体ユニットで形成されたトナー像を中間転写ベルトに１次転写した後、中間転写ベルト上に形成されたトナー像を用紙に２次転写する。
【００３３】
定着ユニットは、定着器、定着器クリーニング部等で構成される。定着ユニットは、用紙に転写されたトナー像を定着させる。
【００３４】
搬送ユニットは、給紙ローラー、レジストローラー、ループローラー、反転ローラー、排紙ローラー等で構成される。搬送ユニットは、給紙部１６から所望の用紙を２次転写ローラーに搬送し、定着後の用紙を後処理部１８に排出する。
【００３５】
図１および図２に戻り、後処理部１８は、印刷部１７から搬送される用紙を、制御部１１からの指示により、パンチ、ステープル、製本等のユーザの希望するフィニッシング処理を加えて出力する。
【００３６】
なお、図１〜図３は本実施の形態の一例であり、適宜変更可能である。例えば、画像形成装置１０をプリンターとして使用する場合は、ＡＤＦ１２および画像読取部１３を省略してもよく、後処理を行う必要が無い場合は、後処理部１８を省略してもよい。また、各トナーに対応する感光体ユニットは、図３に示す順序（色の順）で配置される場合に限定されず、例えば、Ｐトナー、Ｄトナーの順序（トナー種別の順）で配置されてもよい。
【００３７】
［画像形成装置の動作］
上記構成の画像形成装置１０の動作について、図４のフローチャート図を参照して説明する。
【００３８】
画像形成装置１０の制御部１１は、印刷ジョブを受信する（Ｓ１０１）。制御部１１は、印刷ジョブの受信が完了すると（Ｓ１０２：Ｙｅｓ）、印刷ジョブの各ページのデータをラスタライズし、印刷部１７で印刷可能なデータ形式、例えばビットマップ形式の画像データに変換するＲＩＰ（Raster  Image  Processor）処理を行う（Ｓ１０３）。変換された画像データは、メモリー１１ｂまたは記憶部１１ｃに格納される（Ｓ１０４）。
【００３９】
なお、画像データには、少なくとも、ＲＧＢ画像、ＣＭＹＫ画像、ＲＧＢ形式およびＣＭＹＫ形式以外のカラーモードの画像、および、文字・記号などのテキスト情報に相当する画像が含まれる。また、画像データには、各ページにおいて各画像が配置された領域の位置を示す位置情報が含まれる。
【００４０】
次に、制御部１１は、記憶部１１ｃに格納された画像データから、各画像が配置された領域の位置を示す位置情報を取得し、記憶部１１ｃに格納する（Ｓ１０５）。図５は、１ページにおけるレイアウトの一例を示す。図５に示す例では、文字データ領域、ＲＧＢ画像領域、ＣＭＹＫ画像領域、及び、ＲＧＢ／ＣＭＹＫ以外のカラーモードの画像領域の位置（矩形の領域）が、左上及び右下の座標情報（x,y）によって表される。なお、各データ領域の位置の表現方法は、図５に示す例に限定されない。
【００４１】
次に、制御部１１は、画像データの各領域を表す座標のうち、現在の処理対象である座標と、Ｓ１０５で記憶した位置情報とを比較して、現在処理中の座標が、ＲＧＢ画像領域であるか、ＣＭＹＫ画像領域であるか、その他の領域であるかを判断する（Ｓ１０６）。
【００４２】
そして、制御部１１は、現在処理中の座標がＲＧＢ画像領域内であると判断した場合（Ｓ１０７：Ｙｅｓ）、現在処理中の座標を含む領域を、Ｄトナーを使用する領域に分類する（Ｓ１０８）。例えば、図５において、制御部１１は、座標（２００，５０）と座標（４００，３５０）とで表されるＲＧＢ画像領域を、Ｄトナーを使用する領域に分類する。
【００４３】
一方、制御部１１は、現在処理中の座標がＣＭＹＫ画像領域内であると判断した場合（Ｓ１０７：Ｎｏ、Ｓ１０９：Ｙｅｓ）、現在処理中の座標を含む領域を、Ｐトナーを使用する領域に分類する（Ｓ１１０）。例えば、図５において、制御部１１は、座標（５００，５０）と座標（７００，３５０）とで表されるＣＭＹＫ画像領域を、Ｐトナーを使用する領域に分類する。
【００４４】
また、制御部１１は、現在処理中の座標がＲＧＢ画像領域でもＣＭＹＫ画像領域でもないと判断した場合（Ｓ１０７、Ｓ１０９：Ｎｏ）、ＲＧＢ画像領域にもＣＭＹＫ画像領域にも属さない場合に使用するトナーを示す設定情報を印刷ジョブから読み出し、読み出した設定情報に応じて使用するトナーを決定する。
【００４５】
具体的には、制御部１１は、設定情報においてＤトナーの使用が設定されている場合（Ｓ１１１：Ｙｅｓ）、現在処理中の座標を含む画像領域を、Ｄトナーを使用する領域に分類する（Ｓ１１２）。一方、制御部１１は、設定情報においてＰトナーの使用が設定されている場合（Ｓ１１１：Ｎｏ）、現在処理中の座標を含む画像領域を、Ｐトナーを使用する領域に分類する（Ｓ１１３）。例えば、図５では、制御部１１は、設定情報に基づいて、文字データ領域に対応する座標領域を、Ｐトナーを使用する領域に分類する。また、図５では、制御部１１は、設定情報に基づいて、座標（８００，５０）と座標（１０００，３５０）とで表されるＲＧＢ／ＣＭＹＫ以外のカラーモードの画像領域を、Ｐトナーを使用する領域に分類する。
【００４６】
次に、制御部１１は、画像データの全座標に対する処理が終了したか否かを判断する（Ｓ１１４）。制御部１１は、処理が終了していなければ（Ｓ１１４：Ｎｏ）、Ｓ１０６の処理に戻って同様の処理を繰り返し、処理が終了していれば（Ｓ１１４：Ｙｅｓ）、Ｓ１１５の処理に進む。Ｄトナーを使用する領域とＰトナーを使用する領域とに分類された各領域（座標）には、それぞれＤトナーのＣＭＹＫ値またはＰトナーのＣＭＹＫ値が設定され、ＤトナーのＣＭＹＫのトナー量とＰトナーのＣＭＹＫのトナー量とが全座標に設定される。
【００４７】
次に、制御部１１は、印刷ジョブで規定される各種パラメーターを分析し、分析結果である設定値に従って、各色の感光体ドラムの印刷データとして印刷部１７に送出する（Ｓ１１５）。
【００４８】
その後、印刷部１７は、印刷処理を実行する（Ｓ１１６）。
【００４９】
［本実施の形態の効果］
以上詳しく説明したように、本実施の形態における画像形成装置１０は、入力画像データに含まれるＲＧＢ形式の画像およびＲＧＢ形式以外の画像がそれぞれ配置された領域の位置を示す位置情報に応じて、ディスプレイに表示される画像の色を再現するための第１トナー（Ｄトナー）および印刷用の画像の色を再現するための第２トナー（Ｐトナー）の中から、入力画像データの各座標で印刷に使用するトナーを決定する制御部１１と、決定されたトナーを用いてＲＧＢ画像およびＲＧＢ形式以外の画像を用紙に形成する印刷部１７と、を備える。
【００５０】
このように構成した本実施の形態によれば、画像データにＲＧＢ画像およびＣＭＹＫ画像が混在する場合でも、画像形成装置１０は、位置情報に応じて各画像が配置された領域毎にＰトナーとＤトナーとを切り替えて使用する。例えば、図４では、画像形成装置１０は、処理対象の領域が、ＲＧＢ画像領域とＣＭＹＫ画像領域とその他の領域の３種類の領域のうち何れであるかを判断すればよい。
【００５１】
また、画像形成装置１０は、ＤトナーおよびＰトナーの何れを印刷に使用するかの判定処理を、画像領域単位で行うことができる。例えば、図４では、画像形成装置１０は、位置情報を用いて、座標（２００，５０）と（４００，３５０）とで表される矩形領域がＲＧＢ画像領域であることを特定し、当該領域ではＤトナーの使用を決定する。すなわち、画像形成装置１０は、ＲＧＢ画像領域内の全ての座標毎に使用するトナーの判定処理を行う必要がない。
【００５２】
よって、本実施の形態によれば、ＤトナーおよびＰトナーの何れを印刷に使用するかの判定処理を画像データの画素毎の色空間での値に応じて行う場合または画像データの座標毎に行う場合と比較して、使用するトナーを高速に判定することができる。また、本実施の形態によれば、画像形成装置１０は、Ｄトナーを使用してＲＧＢ画像の色を忠実に再現することができる。
【００５３】
なお、上記実施の形態では、マゼンタとシアンの２色のＤトナーを使用する場合について説明したが、本発明は上記実施の形態に限定されるものではなく、マゼンタとシアンの２色のうち何れか１色のＤトナーを使用してもよい。
【００５４】
また、図４では、画像形成装置１０がＲＧＢ画像領域とＣＭＹＫ画像領域とその他の領域の３種類の領域を判定する場合について説明したが、これに限定されず、画像形成装置１０は、ＲＧＢ画像領域と、ＲＧＢ形式以外の画像領域の２種類の領域を判定してもよい。この場合、画像形成装置１０の制御部１１は、ＲＧＢ画像領域ではＤトナーを印刷に使用するトナーとして決定し、その他の画像領域ではＰトナーの使用を決定すればよい。
【００５５】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００５６】
また、本発明は、画像形成装置を含む複数のユニットで構成される画像形成システムに適用できる。複数のユニットには、例えば後処理装置、ネットワーク接続されたコンピューター端末、制御装置等の外部装置が含まれる。
【符号の説明】
【００５７】
１０  画像形成装置
１１  制御部
１１ａ  ＣＰＵ
１１ｂ  メモリー
１１ｃ  記憶部
１１ｄ  通信Ｉ／Ｆ部
１２  ＡＤＦ
１３  画像読取部
１４  表示部
１５  操作部
１６  給紙部
１７  印刷部
１８  後処理部
２０  通信ネットワーク
【図１】
2017111187.tif 000003
【図２】
2017111187.tif 000004
【図３】
2017111187.tif 000005
【図４】
2017111187.tif 000006
【図５】
2017111187.tif 000007